(57)【特許請求の範囲】
【請求項１】
底面とこれにつながる側壁を有するヨークと、このヨークの底面に装着された第１のマグネットと、この第１のマグネット上に装着され上記ヨークの側壁との間で磁気ギャップを形成するトッププレートとで形成される内磁型磁気回路部を有するスピーカであって、
上記トッププレート上に装着されるとともに上記第１のマグネットに反発する第２のマグネットと、
中央部が内側下方に突出して上記第２のマグネット上の略中央に結合された部分とこの部分の周囲が断面半球状または断面円弧状に形成された部分とを有し、かつ、上記第１、第２のマグネットより上方に配置された振動板と、
一端がこの振動板に結合されて上記磁気ギャップに上記ヨーク、第１のマグネット、トッププレート、第２のマグネットと空隙を介してはめ込まれたボイスコイルと、
中央部が内側下方に突出して上記第２のマグネット上の略中央に結合された部分とこの部分の周囲が断面半球状または断面円弧状に形成された部分とを有し、かつ、上記振動板より上方に配置された磁性材料からなるイコライザまたはプロテクタとをさらに有することを特徴とするスピーカ。
【発明の詳細な説明】
【０００１】
【発明の属する技術分野】
本発明は各種音響機器に使用されるスピーカに関するものである。
【０００２】
【従来の技術】
スピーカはテレビジョン受像機に用いられる場合、電子管の両側に取り付けられるため、従来からテレビジョン用には高音質、小型化、低漏洩化等がスピーカに要求され続けてきている。
【０００３】
ここで従来のスピーカを図５の断面図により説明する。
【０００４】
同図によると、スピーカは中心に円柱状のトッププレート１の下に円柱状の第１のマグネット２とその周囲を取り巻く底面と側壁を設けた中空円筒状のヨーク３を配置し、このヨーク３の内周とトッププレート１の隙間で磁気ギャップ４を形成する。
【０００５】
ヨーク３上にはエッジ部８の外周を挟むプロテクタ５が設けられ、ボイスコイル６の巻線部が磁気ギャップ４の中心に位置されるように設定されている。又、そのボイスコイル６は振動板７と接着固定されている。
【０００６】
その振動板７のエッジ部８は、外周に平坦部を設け上記ヨーク３とプロテクタ５に接着固定されている。
【０００７】
以上のように構成されたスピーカについて、以下その動作を説明する。
【０００８】
磁気ギャップ４の中央に位置した平行磁界中のボイスコイル６は電気音声信号入力が印加されると、フレミングの左手の法則により、上下方向に力を発生する。その力はボイスコイル６より振動板７へと伝わる。振動板７は前面の空気を振動させ音を発生する。
【０００９】
【発明が解決しようとする課題】
従来からテレビジョン用スピーカに対しては高音質、小型高性能、低磁気漏洩化等がスピーカに要求されて来たが、陰極線管の横長化、高精細度化に伴い、さらにスピーカの小型化の中で低磁気漏洩化が求められている。
【００１０】
【課題を解決するための手段】
上記課題を解決するため本発明のスピーカは、第１の磁気回路のトッププレート上に装着されるとともに第１のマグネットに反発する第２のマグネットと、中央部が内側下方に突出して第２のマグネット上の略中央に結合された部分とこの部分の周囲が断面半球状または断面円弧状に形成された部分とを有し、かつ、第１、第２のマグネットより上方に配置された振動板と、一端がこの振動板に結合されて磁気ギャップにヨーク、第１のマグネット、トッププレート、第２のマグネットと空隙を介してはめ込まれたボイスコイルと、中央部が内側下方に突出して第２のマグネット上の略中央に結合された部分とこの部分の周囲が断面半球状または断面円弧状に形成された部分とを有し、かつ、振動板より上方に配置された磁性材料からなるイコライザまたはプロテクタとをさらに有して、第２のマグネットと磁性材料からなるイコライザまたはプロテクタからなる第２の磁気回路を形成して前方方向への磁束の漏洩を防止し、スピーカの低漏洩磁束化を図ったものである。
【００１１】
【発明の実施の形態】
以下、本発明の一実施の形態について図１（ａ）〜図３により説明する。なお、説明にあたっては従来技術と同一部分は同一番号を付与し説明を省略して説明する。
【００１２】
（実施の形態１）
図１（ａ）は本発明の一実施の形態のスピーカの平面図であり、図１（ｂ）は同断面図であり、図２（ａ）は同展開例のスピーカの平面図であり、図２（ｂ）は同断面図であり、図３は他の展開例のスピーカの平面図であり、図４も他の展開例のスピーカの平面図である。
【００１３】
図１（ａ），図１（ｂ）によると、９ａは中央が内側下方に突出した突出部９ｂを有し、断面半球状の橋絡部９ｃを設けた鉄等の磁性材料からなるイコライザであり、１０はこのイコライザ９ａの上記突出部９ｂが結合されるとともに上記第１のマグネット２と反発するように上記トッププレート１に結合された第２のマグネットである。
【００１４】
上記構成によって第２のマグネット１０からトッププレート１、イコライザ９ａを経て第２のマグネット１０に磁束が移動する反発磁気回路が形成されることになり、スピーカの前方方向への漏洩磁束が阻止されるものである。
【００１５】
なお、上記構成のスピーカにおいては、振動板７の内周を上記イコライザ９ａの突出部９ｂに結合された断面半球状の形状としたことによってツイータ用のスピーカとなるものである。
【００１６】
また、図２（ａ），図２（ｂ）は上記実施の形態より広帯域のスピーカへの展開例であり、磁性材料よりなるイコライザ９ａは断面円弧状としたものであり、中央の突出部９ｂが図１のものと同様にトッププレート１に結合された第２のマグネット１０に結合されてスピーカの上部に反発磁気回路を形成するものである。なお、振動板７は断面を図１のものと異なり円弧状とすることでスピーカの音圧出力の広域化を図っている。
【００１７】
また、図３および図４も上記実施の形態の夫々展開例であり、図１のスピーカとの相違点はイコライザ９ａに換えて磁性材料からなるプロテクタ９ｄ，９ｅを用いたものである。
【００１８】
このプロテクタ９ｄおよび９ｅの中央部には内方へ突出し、第２のマグネット１０に結合される突出部９ｂが設けられている。
【００１９】
なお、プロテクタ９ｄは図３より明らかなごとく多数の小孔をプレス等により設けた（図３では一部省略してある）ものであり、プロテクタ９ｅは金網状に形成した（図４では一部省略してある）ものである。
【００２０】
以上のように、上記各実施の形態のスピーカはプロテクタ９ｄ，９ｅやイコライザ９ａを金属磁性材料で形成することにより、外部からの衝撃に対しても強度向上が図れるものである。
【００２１】
【発明の効果】
以上のように本発明は第１の磁気回路のトッププレート上に装着されるとともに第１のマグネットに反発する第２のマグネットと中央部が内側下方に突出して第２のマグネット上の略中央に結合された部分とこの部分の周囲が断面半球状または断面円弧状に形成された部分とを有し、かつ、第１、第２のマグネットより上方に配置された振動板と、一端がこの振動板に結合されて磁気ギャップにヨーク、第１のマグネット、トッププレート、第２のマグネットと空隙を介してはめ込まれたボイスコイルと、中央部が内側下方に突出して第２のマグネット上の略中央に結合された部分とこの部分の周囲が断面半球状または断面円弧状に形成された部分とを有し、かつ、振動板より上方に配置された磁性材料からなるイコライザまたはプロテクタとをさらに有して、内部に設けた第２のマグネットとで反発磁気回路を形成してスピーカの前方への漏洩磁束を防止し、スピーカそのものの大型化を図ることなく、小型・低漏洩化したスピーカの提供が可能となるものである。
【図面の簡単な説明】
【図１】（ａ）本発明の一実施の形態のスピーカの平面図
（ｂ）同断面図
【図２】（ａ）同展開例のスピーカの平面図
（ｂ）同断面図
【図３】同展開例の平面図
【図４】同展開例の平面図
【図５】従来のスピーカの断面図
【符号の説明】
１  トッププレート
２  第１のマグネット
３  ヨーク
４  磁気ギャップ
６  ボイスコイル
７  振動板
９ａ  イコライザ
９ｂ  突出部
９ｃ  橋絡部
９ｄ，９ｅ  プロテクタ
１０  第２のマグネット
【図１】
0004178711.tif 000002
【図２】
0004178711.tif 000003
【図３】
0004178711.tif 000004
【図４】
0004178711.tif 000005
【図５】
0004178711.tif 000006